(57)【要約】【課題】操作ボックスに複数のマイクロモータハンドピースが接続されており、そのうちの任意の１本のハンドピースを術者が取り上げたときに、該取り上げたハンドピースが自動的に作動可能となる。【解決手段】複数本のマイクロモータハンドピース１（１1，１2）と、該複数本のハンドピースが装着される操作ボックス１０とから成り、術者によって任意所望の１本のハンドピースが選択され、該選択されたハンドピースを用いて口腔外科治療を行う。術者が携帯するＩＣチップ２０と、各ハンドピース１1，１2に内蔵され、ＩＣチップ２０が近接した時に該ＩＣチップを検出するセンサ５（５1，５2）とを有し、術者がＩＣチップ２０を携帯してハンドピース１を手に取ったときに、センサ５が該ＩＣチップ２０を検知し、該ハンドピースが作動可能状態になるよう、操作ボックス１０内の切り替えスイッチ１１1，１１2を自動的に切り替える。【選択図】図１
2012061220.tif 000002
【特許請求の範囲】
【請求項１】
複数本のマイクロモータハンドピースと、該複数本のマイクロモータハンドピースが装着される操作ボックスとから成り、装着された複数本のマイクロモータハンドピースのうちの任意所望の１本が選択され、該選択されたマイクロモータハンドピースを用いて口腔外科治療を行うようにした口腔外科用マイクロモータハンドピースユニットにおいて、術者が携帯するＩＣチップと、前記各ハンドピースに装着され、前記ＩＣチップが近接した時に該ＩＣチップを検出するセンサとを有し、術者が前記ＩＣチップを携帯して前記ハンドピースを手に取ったときに、該ハンドピースのセンサが該ＩＣチップを検知し、該検知したハンドピースを自動的に作動可能状態にすることを特徴とする口腔外科用マイクロモータハンドピースユニット。
【請求項２】
前記ＩＣチップは、術者の指或いは腕に装着するリングに装着されていることを特徴とする請求項１に記載の口腔外科用マイクロモータハンドピースユニット。
【請求項３】
前記操作ボックスは、前記ＩＣチップを収納する収納部を有することを特徴とする請求項１又は２に記載の口腔外科用マイクロモータハンドピースユニット。
【発明の詳細な説明】
【技術分野】
【０００１】
本発明は、口腔外科用マイクロモータハンドピースユニット、より詳細には、複数本のマイクロモータハンドピースと、該複数本のマイクロモータハンドピースが装着される操作ボックスとを有し、口腔外科治療において、術者がそのうちの１本のハンドピースを選択して治療を行うに際し、当該ハンドピースを手に取った時に、該ハンドピースに装着されたセンサが、術者が携帯するＩＣチップを検知し、該ＩＣチップを検出したハンドピースが自動的に作動可能状態になるようにした口腔外科用マイクロモータハンドピースユニットに関する。
【背景技術】
【０００２】
図２は、本発明が適用される従来の口腔外科用マイクロモータハンドピースユニットの一例を説明するための要部概略構成図で、図中、１（１1，１2）は口腔外科用マイクロモータハンドピース、１０はこれら複数（図には、２本のみ示してある）のハンドピースが装着される操作ボックスで、口腔治療に当り、術者は、複数あるハンドピースの中から所望のハンドピースを選択して取り上げ、該取り上げたハンドピースの先端に口腔内治療に必要な治療具２（例えば、切削バー）を装着し、該取り上げたハンドピース内のモータが駆動されるよう切り替えスイッチ１１（１１1，１１2）を切り替える（選択する）よう操作している。
【０００３】
上記従来の口腔外科用マイクロモータハンドピースユニットにおいては、術者は、使用するハンドピースを取り上げるごとに、操作ボックス１０に設けられている切り替えスイッチ（選択スイッチ）１１を操作し、該切り替えスイッチ１１にて当該取り上げられたハンドピース１を選択し（例えば、ハンドピース１1を取り上げた時は、切り替えスイッチ１１1を押し、ハンドピース１2を取り上げた時は、切り替えスイッチ１１2を押して、該取り上げたハンドピースが使用（作動）可能状態となるようにしている。
【発明の概要】
【発明が解決しようとする課題】
【０００４】
上述のごとき、複数のマイクロモータハンドピースを有し、そのうちの１本を選択して治療を行う場合、操作ボックスに設けられている切り替えスイッチを操作して、選択したハンドピースが作動されるようにしなければならず、その作業が煩わしい等の問題があった。
【０００５】
特に、複数のハンドピース１（１1，１2）のホース３（３1，３2）が複雑に交錯しているような場合に、使用しようとして取り上げたハンドピースに対して、どちらの切り替えスイッチが対応しているのか分からず、当該取り上げたハンドピースを特定するためには、交錯しているインスツルメントホースを整列し直し、例えば、取り上げたハンドピース１1が操作ボックス１０の（１1）に接続されていることを確認した後に切り替えスイッチ１１1を押さなければならず、その作業が煩わしく、面倒であった。
【０００６】
本発明は、上述のごとき実情に鑑みてなされたもので、複数本のマイクロモータハンドピースと、該複数本のマイクロモータハンドピースが装着される操作ボックスとから成る口腔外科用マイクロモータハンドピースユニットにおいて、前記各マイクロモータハンドピースにセンサを有するとともに、術者が携帯するＩＣチップとを有し、術者が使用しようとするハンドピースに近付いたときに、該ＩＣチップを該ハンドピースに設けられたセンサによって検知し、検知された当該ハンドピースを自動的に作動可能とし、もって、術者に、使用しようとするハンドピースを特定する作業（交錯したハンドピースホースの整列、切り替えスイッチの操作等）の煩わしさを解消し、術者の作業負担を軽減するようにしたものである。
【課題を解決するための手段】
【０００７】
本発明は、上記手段を解決するために、請求項１の発明は、複数本のマイクロモータハンドピースと、該複数本のマイクロモータハンドピースが装着される操作ボックスとから成り、装着された複数本のマイクロモータハンドピースのうちの任意所望の１本が選択され、該選択されたマイクロモータハンドピースを用いて口腔外科治療を行うようにした口腔外科用マイクロモータハンドピースユニットにおいて、術者が携帯するＩＣチップと、前記各ハンドピースに装着され、前記ＩＣチップが近接した時に該ＩＣチップを検出するセンサとを有し、術者が前記ＩＣチップを携帯して前記ハンドピースを手に取ったときに、該ハンドピースのセンサが該ＩＣチップを検知し、該検知したハンドピースを自動的に作動可能状態にすることを特徴としたものである。
【０００８】
請求項２の発明は、請求項１の発明において、前記ＩＣチップは、術者の指或いは腕に装着するリングに装着されていることを特徴としたものである。
【０００９】
請求項３の発明は、請求項１又は２の発明において、前記操作ボックスは、前記ＩＣチップを収納する収納部を有することを特徴としたものである。
【発明の効果】
【００１０】
本発明による、術者が使用しようとするハンドピースを手に持つと、当該ハンドピースが作動するように自動的になるので、術者は、当該ハンドピースが作動するよう操作する煩わしさがなく、治療作業に専心することができる。
【図面の簡単な説明】
【００１１】
【図１】本発明による口腔外科用マイクロモータハンドピースユニットの一実施例を説明するための要部概略構成図である。
【図２】従来の口腔外科用マイクロモータハンドピースユニットの一例を説明するための要部概略構成図である。
【発明を実施するための形態】
【００１２】
図１は、本発明による口腔外科用マイクロモータハンドピースユニットの一実施例を説明するための要部全体構成図で、図１（Ａ）において、図２に示した従来技術と同様の作用をする部分には、図２の場合と同一の参照番号が付してある。而して、本発明においては、マイクロモータハンドピース１（１1，１2）内には、それぞれセンサ５（５1，５2）が内蔵されており、該センサ５によって術者が携帯するＩＣチップを検知するようになっている。
【００１３】
図１（Ｂ）において、２０はＩＣチップで、該ＩＣチップ２０は、術者が携帯可能であり、例えば、（ｂ1）に示すように、術者の首にかけるもの２０1につけたり、（ｂ2）に示すように、術者の指にはめるもの２０2につけたり、（ｂ3）に示すように、術者の腕にはめるもの２０3につけたりできるようになっており、該ＩＣチップ２０がハンドピース１に近付いた時に、該ハンドピースに内蔵されたセンサ５が該ＩＣチップ２０を検知し、操作ボックス１０の切り替えスイッチを当該ハンドピースに合せて自動的に切り替える。従って、術者は、口腔外科治療に際し、ＩＣチップ２０を携帯し、任意所望のハンドピース１（１1或いは１2）を取り上げると、該取り上げられたハンドピースに設けられたセンサ５（５1或いは５2）が該ＩＣチップ２０を検出し、該検出されたハンドピース１（１1又は１2）が駆動されるよう操作ボックス１０の切り替えスイッチ１１を自動的に切り替える。
【００１４】
前記ＩＣチップ２０は、術者が施術する時に身に付ける使用するものであり、単体で構成されているため、紛失してしまう可能性があるため、操作ボックス１０にＩＣチップ２０を収納する収納部１２を設けておき、普段（非使用時）は、該収納部１２内に収納しておくとよい。
【００１５】
なお、図１（Ｂ）の（ｂ1）に示したように、ＩＣチップ２０を首かけ態様にすると、該ＩＣチップ２０が取り上げたハンドピースから離れている場合には、該ハンドピースが作動するよう切り替えスイッチが切り替えられない場合があり、その場合には、術者は、該ＩＣチップを取り上げたハンドピースに近づけるか、ハンドピースをＩＣチップに近づけるように作動をしなければならず、作業が煩わしい場合があるので、好ましくは、図１（Ｂ）の（ｂ2），（ｂ3）に示すように、術者の指や腕にはめるようにリング態様にすると、ごく自然かつ確実に、取り上げた（手に持った）ハンドピースが選択され、該ハンドピースが駆動可能状態になるので、前述のような煩わしさはなくなる。
【符号の説明】
【００１６】
１（１1，１2）…マイクロモータハンドピース、２（２1，２2）…治療具、３（３1，３2）…ハンドピースのホース、５（５1，５2）…センサ、１０…操作ボックス、１１（１１1，１１2）…切り替えスイッチ、１２…ＩＣチップ収納部、２０…ＩＣチップ，２０1〜２０3…ＩＣチップ装着物。
【図１】
2012061220.tif 000003
【図２】
2012061220.tif 000004